(57)【要約】【課題】  オリジナルの情報記録媒体に対し、同一容量、同一信号フォーマットの再生互換を有する記録可能な媒体が安価にかつ大量に供給されているため、デジタルＡＶコンテンツの不正複写が問題となっている。そこで、デジタルＡＶコンテンツ情報等の主情報を不正複写した主情報の不正再生を、従来型の再生装置に対してより強力に防止し、結果的に主情報の不正複写をより強力に防止できる情報記録媒体を提供する。【解決手段】  主情報となるデジタルＡＶコンテンツとこのデジタルＡＶコンテンツを正常に再生するために必要とするデコード情報とを、同一記録媒体のそれぞれ異なる層に記録することにより強力な不正複写防止効果を実現する。【選択図】図１
2006040500.tif 000002
【特許請求の範囲】
【請求項１】
暗号化あるいはスクランブルされた情報が記録されたＤＶＤ（Digital Versatile Disc）規格に準拠した記録層と、
前記暗号化あるいはスクランブルされた情報を復元するためのデコード情報が記録されたＣＤ（Compact Disc）規格に準拠した記録層と、
を有することを特徴とする円盤状情報記録媒体。
【請求項２】
暗号化あるいはスクランブルされた情報が記録されたＢＤ（Blu-ray Disc）規格に準拠した記録層と、
前記暗号化あるいはスクランブルされた情報を復元するためのデコード情報が記録された、ＤＶＤ（Digital Versatile Disc）規格に準拠した記録層、またはＣＤ（Compact Disc）規格に準拠した記録層と、
を有することを特徴とする円盤状情報記録媒体。
【発明の詳細な説明】
【技術分野】
【０００１】
本発明は、デジタルＡＶコンテンツの不正複写問題を解決する円盤状情報記録媒体に関するものである。
【背景技術】
【０００２】
昨今のＬＳＩや光ディスク記録再生技術の進歩により、安価なデジタル記録装置や記録媒体が急速に普及しつつある。これに伴い、デジタルＡＶコンテンツの不正複写を防止する様々な方法が提案されている。例えば、高画質の映像再生を実現したＤＶＤ（Digital Versatile Disc）ではスクランブル（暗号化）技術が導入されている。或いは、挿入されたディスクがオリジナルかコピーディスクであるかを判別し、不正複写ディスクのときには再生動作を禁止することにより、不正複写を抑制する効果を生む技術も提案されている。前者のＤＶＤでは、スクランブルされた主情報を元に戻すために必要となるデコード情報を、通常ユーザーがアクセスできないディスクの最内周領域に記録して不正複写を防止している。後者は、挿入されたディスクがオリジナルかコピーディスクであるかを判別するタイプの不正複写防止手段であり、この一例として特許文献１：特開平０９−１２８３０１号公報がある。
【０００３】
特許文献１では、オリジナルのディスクには、通常ユーザーがアクセスできない領域、例えば主情報が記録されている領域よりも内周側のリードイン領域や外周側のリードアウト領域に特定のキーコードを記録しておく。このようにキーコードを記録しておくことにより、主情報は不正複写できてもキーコードは複写できない。よって、再生機はオリジナルディスクでは無いと判別することが可能となり、再生動作を停止して不正複写した主情報を再生しないので、結果的に不正複写を防止（不正複写した主情報の不正再生を防止）することができる。
【特許文献１】特開平０９−１２８３０１号公報
【発明の開示】
【発明が解決しようとする課題】
【０００４】
従来の不正複写防止策では、防止の要となるデコード情報やキーコードを、主情報と異なる領域に記録することによって容易には複写できない工夫をしている。しかし、主情報が記録されている記録層と同一の記録層にデコード情報やキーコードが記録されているため、昨今一般家庭にも幅広く普及したＰＣシステム上で、俗称「丸ごとコピー」とか「完全バックアップ」と呼ばれるコピーツールを走らせることにより、一般的ユーザーにもデコード情報やキーコードの記録可能型ディスクへの複写が可能となってしまった。
【０００５】
さらには、複写先である記録可能型ディスクは、複写元のオリジナルディスクである読み出し専用ディスク（ＲＯＭ型）と同一の記録容量、再生互換性を有している。例えば、ＤＶＤではＤＶＤ−Ｒ、ＣＤではＣＤ−Ｒといった記録可能なディスクは、情報が記録された後は読み出し専用ディスクと完全互換が確保されるため、一旦、防止の要となるデコード情報やキーコードが不正複写されると、オリジナルディスクとの差が全く無しに再生が可能となり、不正複写を誘発していることが大きな課題であった。
【０００６】
そこで本発明は、オリジナルの円盤状情報記録媒体（正規の読み出し専用型ディスク）に記録されているデジタルＡＶコンテンツ情報等の主情報を不正複写した主情報の不正再生を、従来型の再生装置に対してより強力に防止し、結果的に主情報の不正複写をより強力に防止（不正複写した主情報の不正再生をより強力に防止）できる円盤状情報記録媒体を提供すること目的とする。
【０００７】
さらには、オリジナルの円盤状情報記録媒体と同一多層構造の記録可能な円盤状情報記録媒体が供給されない限り、同一の円盤状情報記録媒体の異なる記録層に主情報とデコード情報とをそれぞれ完全に複写することを防止でき、結果的に主情報の不正複写をより強力に防止できる円盤状情報記録媒体を提供すること目的とする。
【課題を解決するための手段】
【０００８】
そこで、上記課題を解決するために本発明は、以下の円盤状情報記録媒体を提供するものである。
（１）  暗号化あるいはスクランブルされた情報が記録されたＤＶＤ（Digital Versatile Disc）規格に準拠した記録層と、
前記暗号化あるいはスクランブルされた情報を復元するためのデコード情報が記録されたＣＤ（Compact Disc）規格に準拠した記録層と、
を有することを特徴とする円盤状情報記録媒体。
（２）  暗号化あるいはスクランブルされた情報が記録されたＢＤ（Blu-ray Disc）規格に準拠した記録層と、
前記暗号化あるいはスクランブルされた情報を復元するためのデコード情報が記録された、ＤＶＤ（Digital Versatile Disc）規格に準拠した記録層、またはＣＤ（Compact Disc）規格に準拠した記録層と、
を有することを特徴とする円盤状情報記録媒体。
【発明の効果】
【０００９】
本発明は、オリジナルの円盤状情報記録媒体（正規の読み出し専用型ディスク）に記録されているデジタルＡＶコンテンツ情報等の主情報を不正複写した主情報の不正再生を、従来型の再生装置に対してより強力に防止し、結果的に主情報の不正複写をより強力に防止（不正複写した主情報の不正再生をより強力に防止）できる。
【００１０】
さらに、本発明は、オリジナルの円盤状情報記録媒体と同一多層構造の記録可能な円盤状情報記録媒体が供給されない限り、同一の円盤状情報記録媒体の異なる記録層に主情報とデコード情報とをそれぞれ完全に複写することを防止でき、結果的に主情報の不正複写をより強力に防止できる。
【発明を実施するための最良の形態】
【００１１】
以下、添付図面を参照して本発明の一実施例を説明する。
デジタルＡＶコンテンツ等の主情報の不正複写を防止することのできる本発明の一実施例の多層構造の円盤状情報記録媒体について説明する。デジタルＡＶコンテンツ等の主情報を記録した記録層と、主情報を正常に再生するために必要となるデコード情報を記録した記録層とが異なっているのが特徴であるが、それらの層のタイプによって様々な組み合わせが可能であり、ここでは代表的な２例について紹介する。実施例１では、主情報の記録層がＤＶＤ層（ＤＶＤ（Digital Versatile Disc）規格に準拠した記録層）、デコード情報の記録層がＣＤ層（ＣＤ（Compact Disc）規格に準拠した記録層）である点が特徴である。実施例２では、主情報の記録層がＢＤ層（ＢＤ（Blu-ray Disc）規格に準拠した記録層）、デコード情報の記録層がＤＶＤ層である点が特徴である。
【実施例１】
【００１２】
図１は、円盤状情報記録媒体の実施例１（多層ディスク）の断面を示しており、主情報はＤＶＤ層に、デコード情報はＣＤ層にそれぞれ記録している。図１において、多層ディスク１は約0.6mm厚の板２枚を貼り合わせており、全体の厚みは約1.2mmとなっている。ＤＶＤ層は、多層ディスク１のほぼ中間に位置しており、信号読み取り方向からみてＤＶＤ規格での深さ約0.6mmとなっている。ＣＤ層３は、多層ディスク１の片面側に位置しており、信号読み取り方向からみてＣＤ規格での深さ約1.2mmとなっている。
【００１３】
このような多層構造の円盤状情報記録媒体において、ＤＶＤ層２にはデジタルＡＶコンテンツ等の主情報を記録し、この主情報を正常に再生するために必要とする情報、例えば、ファイル管理情報とかナビゲーション情報といったデコード情報をＣＤ層３に記録しておく。
【００１４】
前述したように、主情報はＤＶＤ−Ｒ等のＤＶＤ記録媒体に簡単に不正複写することが可能である。しかし、現行のＤＶＤ記録媒体には記録可能なＣＤ層を有する記録媒体は存在しないので、主情報を正常に再生するために必要となるデコード情報を、主情報と同一の記録媒体の異なる記録層に複写することができない。言い換えれば、主情報のみを不正複写したＤＶＤ−Ｒ等のＤＶＤ記録媒体からでは、主情報を正常に再生することができないので、全く意味のない複写ディスクとなり、結果的に不正複写の防止を実現できる。
【００１５】
なお、ＣＤ−Ｒにデコード情報を不正複写されるようなことがあった場合でも、従来型のＤＶＤプレーヤーでは、主情報と同一の記録媒体からその主情報のデコード情報を得ないと主情報を正常に再生できない。よって、単に、デコード情報のみを不正複写したＣＤ−Ｒも全く意味のない複写ディスクとなり、本実施例の円盤状情報記録媒体（多層ディスク）は、不正複写した主情報の不正再生を、従来型の再生装置に対してより強力に防止することが可能となる。
【００１６】
さらに、実施例１のような多層構造の円盤状情報記録媒体において、ＤＶＤ層２には暗号化或いはスクランブル処理された主情報を記録し、この主情報を元の状態に戻すために必要となる鍵或いは鍵の種に関連したデコード情報をＣＤ層３に記録しておくようにすれば、より強力な不正複写防止に対応した情報記録媒体を提供できる。
【００１７】
ところで、ＣＤ層３の再生はＤＶＤ層２を通過したレーザー光によるので、ＤＶＤ層２は波長（ＣＤ規格の７８０ｎｍ）選択性を有する膜となっている。
次に、本実施例の円盤状情報記録媒体（多層ディスク）を再生する再生装置について図３と共に説明する。多層ディスク１を挿入すると、制御マイコン３１の指示によって再生ＰＵ（ピックアップ）ユニット３２は、まず最初にディスク１のＣＤ層３に記録されているデコード情報を読みに行く。再生ＰＵユニット３２の出力はＲＦアンプ３３を通ってＣＤデコーダ３４に送られる。ＣＤデコーダ３４では制御マイコン３１の指示に従って、主情報を元の状態に戻すために必要となる鍵或いは鍵の種に関連したデコード情報を読み取り、内部のメモリーに記憶する。
【００１８】
次に、制御マイコン３１は、再生ＰＵユニット３２及びＤＶＤデコーダ３５に対して、ＤＶＤ層２に記録されている暗号化或いはスクランブル処理された主情報を読み取るように指示を出す。ＤＶＤデコーダ３５では、既に読み取ってあるデコード情報を利用しながら暗号化或いはスクランブル処理された主情報を元の正常な情報に復元し、ＡＶ情報３５ａを出力する。
【００１９】
ここで不正複写されたディスク、例えばＤＶＤ−Ｒが挿入されると、ＣＤ層３が存在しないため、当然のこととして主情報を正常に再生することができないので、ユーザーは主情報の不正複写が意味のない行為であることを認識することになる。また、デコード情報が不正複写されたＣＤ−Ｒが挿入されるた場合も、ＣＤ−ＲにはＤＶＤ層が存在しないため、そのＣＤ−Ｒから主情報が得られないので、当然主情報を再生できない。よって、単に、デコード情報のみを不正複写したＣＤ−Ｒも全く意味のない複写ディスクであることをユーザーは認識することになる。
【００２０】
このように、再生装置は、結果的に主情報の不正複写をより強力に防止（不正複写した主情報の不正再生をより強力に防止）させることができる。
ところで、ＤＶＤプレーヤが異なる規格であるＣＤ−ＲＯＭ、ＣＤ−Ｒ等のＣＤ層を読み取ることについては、従来型のＤＶＤプレーヤが既に対応している。よって、本再生装置において、多層ディスク内のＤＶＤ層とＣＤ層とから信号を読み取る構成は、ほぼコスト要因とはならずに実現可能である。
【実施例２】
【００２１】
図２は、円盤状情報記録媒体の実施例２（多層ディスク）の断面を示しており、主情報はＢＤ層（ＢＤ（Blu-ray Disc）規格に準拠した記録層）に、デコード情報はＤＶＤ層にそれぞれ記録されている。図２において、多層ディスク４は約0.6mm厚、0.5mm厚、0.1mm厚の板及びシートを貼り合わせており、全体の厚みは約1.2mmとなっている。ＢＤ層５は、多層ディスク４の信号読み取り面側に位置しており、信号読み取り方向からみてＢＤ規格での深さ約0.1mmとなっている。ＤＶＤ層６は、多層ディスク４のほぼ中間に位置しており、信号読み取り方向からみてＤＶＤ規格での深さ約0.6mmとなっている。
【００２２】
このような多層構造の円盤状情報記録媒体において、ＢＤ層５には主情報を記録し、この主情報を正常に再生するために必要となるデコード情報をＤＶＤ層６に記録しておく。  前述したように主情報はＢＤ−Ｒ等のＢＤ記録媒体に簡単に不正複写することが可能である。しかし、現行のＢＤ記録媒体には記録可能なＤＶＤ層を有する記録媒体は存在しないので、主情報を正常に再生するために必要となるデコード情報を、主情報と同一の記録媒体の異なる記録層に複写することができない。言い換えれば、主情報のみを不正複写したＢＤ−Ｒ等のＢＤ記録媒体からでは、主情報を正常に再生することができないので、全く意味のない複写ディスクとなり、結果的に強力に不正複写の防止を実現できる。
【００２３】
なお、ＤＶＤ−Ｒにデコード情報を不正複写されるようなことがあった場合でも、従来型のＢＤプレーヤーでは、主情報と同一の記録媒体からその主情報のデコード情報を得ないと主情報を正常に再生できない。よって、単に、デコード情報のみを不正複写したＤＶＤ−Ｒも全く意味のない複写ディスクとなり、本実施例の円盤状情報記録媒体（多層ディスク）は、不正複写した主情報の不正再生を、従来型の再生装置に対してより強力に防止することが可能となる。
【００２４】
さらに、実施例２のような多層構造の円盤状情報記録媒体において、ＢＤ層５には暗号化或いはスクランブル処理された主情報を記録し、この主情報を元の状態に戻すために必要となる鍵或いは鍵の種に関連したデコード情報をＤＶＤ層６に記録しておくようにすれば、より強力な不正複写防止に対応した情報記録媒体を提供できる。
【００２５】
ところで、ＤＶＤ層６の再生はＢＤ層５を通過したレーザー光によるので、ＢＤ層５は波長（ＤＶＤ規格の６５０ｎｍ）選択性を有する膜となっている。
次に、本実施例の円盤状情報記録媒体（多層ディスク４）を再生する再生装置について図４と共に説明する。多層ディスク４を挿入すると、制御マイコン４１の指示によって再生ＰＵ（ピックアップ）ユニット４２は、まず最初にディスク４のＤＶＤ層６に記録されているデコード情報を読みに行く。再生ＰＵユニット４２の出力はＲＦアンプ４３を通ってＤＶＤデコーダ４４に送られる。ＤＶＤデコーダ４４では制御マイコン４１の指示に従って、主情報を元の状態に戻すために必要となる鍵或いは鍵の種に関連したデコード情報を読み取り、内部のメモリーに記憶する。
【００２６】
次に、制御マイコン４１は、再生ＰＵユニット４２及びＤＶＤデコーダ４５に対して、ＢＤ層５に記録されている暗号化或いはスクランブル処理された主情報を読み取るように指示を出す。ＢＤデコーダ４５では、既に読み取ってあるデコード情報を利用しながら暗号化或いはスクランブル処理された主情報を元の正常な情報に復元し、ＡＶ情報４５ａを出力する。
【００２７】
ここで不正複写されたディスク、例えばＢＤ−Ｒが挿入されると、ＤＶＤ層６が存在しないため、当然のこととして主情報を正常に再生することができないので、ユーザーは主情報の不正複写が意味のない行為であることを認識することになる。また、デコード情報が不正複写されたＤＶＤ−Ｒが挿入されるた場合も、ＤＶＤ−ＲにはＢＤ層が存在しないため、そのＤＶＤ−Ｒから主情報が得られないので、当然主情報を再生できない。よって、単に、デコード情報のみを不正複写したＤＶＤ−Ｒも全く意味のない複写ディスクであることをユーザーは認識することになる。
【００２８】
このように、再生装置は、結果的に主情報の不正複写をより強力に防止（不正複写した主情報の不正再生をより強力に防止）させることができる。
なお、本実施例２では、主情報を元の状態に戻すために必要となる鍵或いは鍵の種に関連したデコード情報をＤＶＤ層に記録しているが、通常デコード情報は僅かなデータ量であるのでＣＤ層に記録することも可能である。さらにはＤＶＤ層とＣＤ層の２つの層を利用すれば、より強力な防止効果が発揮されることは明らかである。
【図面の簡単な説明】
【００２９】
【図１】本発明の円盤状情報記録媒体の実施例１を示す構成図である。
【図２】本発明の円盤状情報記録媒体の実施例２を示す構成図である。
【図３】実施例１を再生するための再生装置を示す構成図である。
【図４】実施例２を再生するための再生装置を示す構成図である。
【符号の説明】
【００３０】
１  多層ディスク
２  ＤＶＤ層
３  ＣＤ層
４  多層ディスク
５  ＢＤ層
６  ＤＶＤ層
【図１】
2006040500.tif 000003
【図２】
2006040500.tif 000004
【図３】
2006040500.tif 000005
【図４】
2006040500.tif 000006